(57)【特許請求の範囲】
【請求項１】
折りたたみ可能な細長い形状を有し患者の身長方向に展開可能なシートと、シート長手方向の中央部及び両端部に各々配設された引き紐とを備え、
各引き紐は、少なくとも前記シートの幅に相当する長さを有し、シートの各側縁部に各一端が固着され、中間部分は前記シートの患者側とは反対側であるシート下側にあって位置が固定されていない
ことを特徴とする患者移乗用具。
【請求項２】
シート端部に配設された引き紐は、シートの各側縁部に各一端が固着されたもの以外に、車椅子上の患者の下側に敷かれた状態のシートを取り出すための車椅子用引き紐を備え、該車椅子用引き紐は、一端部がシートの一側方における車椅子上の患者の膝部付近の隅部に脱着自在に係止され、他端側が前記シートの患者側とは反対側であるシート下側を通ってシートの他側方におけるシート長手方向中央部に達する長さを有し且つ固定されていないことを特徴とする請求項１に記載の患者移乗用具。
【請求項３】
前記シートは、両側縁部に患者搬送用の取っ手が設けられていることを特徴とする請求項１または２に記載の患者移乗用具。
【請求項４】
前記シートには、シートを患者の下側に挿入する際に引き紐を患者近傍位置へ至らせるための操作孔が、シートの幅方向における中央部に設けられ、当該操作孔は、少なくともシート長手方向における中央部に一つ設けられていることを特徴とする請求項１から３のいずれかに記載の患者移乗用具。
【発明の詳細な説明】
【技術分野】
【０００１】
本発明は、可撓性シートを用いた患者移乗用具に関する。
【背景技術】
【０００２】
患者をベッド間で移動したり、車椅子等ベッド以外の場所とベッドとの間で移動したりするには、複数の介助者が患者を持ち上げて行うのが一般的である。しかしこの方法では、患者の体重が介助者に大きな負荷となり、また持ち上げ時に局部的に掛かる力が患者に痛みを与えることもある。
【０００３】
これに対処するために、患者をベッド等に乗せ替えるための種々の提案がなされている。例えば、特許文献１に記載の移乗用具は、可撓性シートと引寄せ用ロッドとからなっており、患者の下側に挿入した可撓性シートの一端縁を引寄せ用ロッドに巻付け、そのロッドを手動により引寄せることによって患者を移動させるというようにして使用される。
【０００４】
また、特許文献２に記載の移乗用具は、袋状のアウターシート内にベースシートを納めて移乗用シートを構成し、アウターシートから突出するようにベースシート先端部に引出手段及び手鉤部を取り付け、移乗用シートを巻き取りローラに巻き付けたものである。使用の際は、移送用ベッドに巻き取りローラを取り付け、ベッド側方に横付けさせた状態で、巻き取りローラから移乗用シートを繰り出して患者の下側に挿入し、その後、巻き取りローラを回転させて移乗用シートを移送用ベッド側へ巻き取ることにより患者を移動する。
【先行技術文献】
【特許文献】
【０００５】
【特許文献１】国際公開ＷＯ９７／３８６５９号公報
【特許文献２】特開平６−２６９４７７号公報
【発明の概要】
【発明が解決しようとする課題】
【０００６】
しかしながら、これら特許文献に記載の器具はいずれも、シートを患者の下側に敷くことを必要とするが、その操作への配慮がなされていないため、２〜数名で患者を持ち上げた状態でベッド面との間にシートを挿入するか、患者を左右に転動させながら持ち上がった側ごとにシートを拡げる操作が必要である。したがって、患者の体重が介助者に負荷を与えたり、操作が面倒であるという問題を依然として解決できなかった。特に、運転手が介助人を兼ねる介護タクシーの普及や、介助すべき家族の高齢化、病院・介護施設での人手不足等の結果、一人の介助者によって患者を移動させる必要性が高まってきた近時において、これらの問題は大きくなっている。
【０００７】
そこで本発明は、介助者への負担が小さく、一人の介助者でも容易に患者をベッド等に乗せ替えることができる患者移乗用具を提供することを目的とする。
【課題を解決するための手段】
【０００８】
本発明は、前記目的を達成するため、折りたたみ可能な細長い形状を有し患者の身長方向に展開可能なシートと、シート長手方向の中央部及び両端部に各々配設された引き紐とを備え、各引き紐は、少なくとも前記シートの幅に相当する長さを有し、シートの各側縁部に各一端が固着され、中間部分は前記シートの患者側とは反対側であるシート下側にあって位置が固定されていないことを特徴とする患者移乗用具を提供するものである。
【作用】
【０００９】
本発明に係る患者移乗用具は、折りたたみ可能な細長い形状を有し患者（被移乗者）の身長方向に展開可能なシートと、シート長手方向の中央部及び両端部に各々配設された引き紐とを備えた構成となっているので、器具自体が軽くて扱いやすい。
【００１０】
これらの引き紐は、少なくとも前記シートの幅に相当する長さを有し、シートの各側縁部に各一端が固着され、中間部分は位置が固定されていない。
【００１１】
したがって、この患者移乗用具は、患者をベッド等に移乗する際に、次のようにして用いることができる。先ず、ベッド等に横たわっている患者の一側方で、患者の身長方向にシートを展開する。そして、シートの側縁部を患者の下側に挿入するようにしてシートを患者の他側方に途中まで拡げる。このとき、引き紐が下側になるようにしてシートと共に引き紐の中間部分を患者の下側へ導く。その後は、引き紐をシートの他側方から引くことにより、その部分のシートを全幅に拡げる。引き紐は、少なくともシートの幅に相当する長さを有し、シートの各側縁部に各一端が固着され、中間部分は位置が固定されていないので、その中間部分を引張ればよい。
【００１２】
この操作は、患者の一側方から患者の下側への導入までを、シート長手方向の一端側、他端側及び中央部（例えば、患者の頭側部分、足側部分、胴部）について、順次行い、さらにこれら各部について、患者の他側方まで引く操作を行うことにより、シート全体を患者の下側に拡げることができる。各操作は、患者の体重の一部を負荷として受けるだけであるので、小さい力で容易に行うことができる。特に、患者の下側へ挿入するのはシートの一部でよく、その後は引き紐を展開側へ引張ればよいので、患者をベッド等から持ち上げる操作をなくすかごく僅かとすることができる。
【００１３】
この展開状態で、シート全体を引き動かせば、隣接させたベッド等に患者を容易に移乗させることができる。
【００１４】
移乗を終えた後に患者移乗用具を患者の下側から取り出すには、ベッド等の一側方から引き紐の手前側を引張ることにより引き紐の他端をシートと共に患者の下側に導き、さらに他端までシートと共に患者の一側方へ取り出すことができる。この操作も、シートの各部分に位置する引き紐について、順次行えばよいので、各操作は小さい負荷の下で容易に行うことができる。
【００１５】
この操作は、患者の一側方から患者の下側への導入までを、シート長手方向の一端側、他端側及び中央部（例えば、患者の頭側部分、足側部分、胴部）について、順次行い、さらにこれら各部について、患者の他側方まで引く操作を行うことにより、シート全体を患者の下側から取り出すことができる。各操作は、患者の体重の一部を負荷として受けるだけであるので、小さい力で容易に行うことができる。特に、患者の下側へ導くのはシートの一部でよく、その後は引き紐を取り出し側へ引張ればよいので、患者をベッド等から持ち上げる操作をなくすかごく僅かとすることができる。
【００１６】
特に、シートの端部（例えば、患者の頭側部分）に設けられた引き紐を最初に引張るようにすると、体重による負荷が小さいのでシートの引き出しを軽く行え、これによりシートを端部から中央部付近に至る範囲に亘って引き出すことができる。この後、シートの他端部（例えば、患者の足側部分）の引き紐を引いて、同様にシートを端部から中央部付近に至る範囲に亘って引き出す。その結果、シート中央部の引き紐を引く際には、患者の下にくぐらせるべきシートの面積が減少しており、体重の多くが掛かる胴部の下を容易に通過させることができる。こうして、患者移乗用具全体を患者の下から容易に取り出すことができる。
【００１７】
なお、背もたれを水平方向にベッド上に展開することができるリクライニング型車椅子の場合に関し、患者をベッド等から車椅子に移乗する際には、前述のようにして、ベッド等の上で患者をシート上に乗せ、患者移乗用具と共に患者を車椅子上に移動し、その後は、前述と同様に引き紐を順次引張ってシートを患者の下から取り出せばよい。
【００１８】
また、腰掛け型の車椅子からベッド等に患者を移乗する際には、予め患者移乗用具を車椅子上に敷いた状態で患者を車椅子に乗せ、患者移乗用具と共に患者を車椅子からベッド等に移した後、前述と同様に引き紐を順次引張ってシートを患者の下から取り出せばよい。
【発明の効果】
【００１９】
以上のように、本発明に係る患者移乗用具によれば、介助者への負担が小さく、一人の介助者でも容易に患者をベッド等に乗せ替えることができる。
【図面の簡単な説明】
【００２０】
【図１】本発明の第一実施形態に係る患者移乗用具を患者及びベッドと共に示す上面図である。
【図２】図１に示した患者移乗用具の下面図である。
【図３Ａ】図１に示した患者移乗用具に患者を乗せる方法の一例を示す説明図である。
【図３Ｂ】図３Ａに続く使用方法の例を示す説明図である。
【図４】図３Ｂに続く使用方法の例を示す説明図である。
【図５Ａ】本発明の他の実施形態に係る患者移乗用具に患者を乗せる方法の一例を示す説明図である。
【図５Ｂ】図５Ａに続く使用方法の例を示す説明図である。
【図６Ａ】図１に示した患者移乗用具に乗せた患者の下側から患者移乗用具を取り出す方法の一例を示す説明図である。
【図６Ｂ】図６Ａに続く使用方法の例を示す説明図である。
【図７】車椅子に適した本発明の実施形態に係る患者移乗用具の背面図である。
【図８】図７に示した患者移乗用具を車椅子に適用した例を示す斜視図である。
【図９】図７に示した患者移乗用具を車椅子と患者との間から取り出す状態を示す斜視図である。
【発明を実施するための形態】
【００２１】
以下、本発明の実施形態について添付図面を参照しつつ説明する。図面中の同一又は同種の部分については、同じ番号を付して説明を一部省略する。また、図には構造の明示に必要な部分または患者の移乗操作に関係する部分を示し、他の部分を省略することがある。
【００２２】
図１は本発明の第一実施形態に係る患者移乗用具、患者及びベッドを上から見た上面図であり、図２は、図１に示した患者移乗用具の下面図である。図示の患者移乗用具１は、折りたたみ可能な細長い形状を有し患者の身長方向に展開可能なシート１０と、該シートの各側縁部に各一端が固着された複数の引き紐２０とを備えている。
【００２３】
シート１０は、折りたたみ可能な可撓性と、患者を持ち上げて搬送する際の荷重に耐える強度とを備えた単層または複層の織物、編み物、不織布等の布、フィルム、またはこれらの２以上の組み合わせからなる種々の材質のものとすることができる。シート１０は、患者を乗せ得るように、一般的な大人の身長及び肩幅より大きいサイズとされるが、後述する車椅子用などの場合には、より短いサイズとすることもできる。シート１０の上面は、患者の滑りを防止し得るように適度の摩擦を有しているのが望ましい。一方、シート１０の下面は、後述するようにベッド面に対し、不用意なずれを生じず且つ移動を容易にし得るように摩擦が低くされるのが望ましい。
【００２４】
引き紐２０は、シート長手方向の中央部及び両端部に設けられており、各々シートの各側縁部に各一端が固着されている。その固着は、縫着、鋲の加締めなどにより行うことができる。引き紐２０は、少なくともシートの幅に相当する長さを有しており、シート幅の１．１〜１．５倍とすることができる。
【００２５】
この実施形態では、シート１０の幅方向における中央部に操作孔１１が設けられている。操作孔１１は、シートを患者の一側方から下側に挿入する際に、引き紐を他側方から引き易い位置へ至らせるためのものであり、引き紐２０の取付位置に対応して、シート１０の長手方向における中央部及び両端部に設けられている。
【００２６】
シート１０の両側縁部には、患者搬送時に把持される複数の取っ手３０が設けられている。この例では、取っ手３０は、シート本体における長手方向の中央部及び両端部に設けられ、各々紐状部材で構成されてＵ字状をなし、Ｕ字の脚部に相当する端部は引き紐２０端部の両側の位置でシートの各側縁部に縫着、鋲の加締めなどにより固着されている。
【００２７】
この実施形態ではさらに、患者移乗時の負荷に対する補強のために、中央部の引き紐２０を挟む位置に補強テープ１２が全長に亘って縫着、接着などにより固定されている。補強テープ１２は、図示のように、取っ手３０の両端部がシート１０に固着されている箇所に端部を固定するのが望ましい。これにより、取っ手３０からシート１０に掛かる負荷を効果的に受けることができる。
【００２８】
この患者移乗用具は、例えば次のようにして使用することができる。図３Ａ、図３Ｂは、ベッドＢ上に仰臥する患者Ｋの下に患者移乗用具を挿入する過程の一例を順を追って示している。先ず、図３Ａ（ａ）に示すように、ベッドＢの一側方ｂ１において、患者Ｋのすぐ側方の位置に患者移乗用具１を置く。このとき、患者移乗用具１は、表側の面（引き紐２０のない側の面）が上になるようにして上下２〜３層程度に縦長に折りたたんでおく。
【００２９】
次に、図３Ａ（ｂ）示すように、折りたたんだシートの間に側方ｂ１から手を挿入し、シート１０の折りたたまれた縁部を患者の幅方向の半分程度まで下側に挿入する。これは、操作孔１１に通した手先でシート下側の引き紐２０を把持した状態で、シート１０を側方ｂ２側へ押しやるようにして行う。この操作は、人差し指から小指のいずれかで引き紐２０を把持して操作孔１１から突き出し、親指でシート１０の操作孔１１縁部を押しながら患者Ｋの下側へ挿入すると容易である。操作孔１１は、このように手の一部を通す形状及び大きさとするのが望ましい。この観点から各操作孔１１は、例えば長径が８〜１３ｃｍ、短径が３〜５ｃｍの長方形などの多角形や長円形とすることができる。
【００３０】
そして、図３Ａ（ｃ）に示すように、引き紐２０を側方ｂ２側へ引くことにより、シート１０の一部を患者の他側方ｂ２に拡げることができる。このとき、シート１０の縁部を引いてもよく、取っ手３０を他側方ｂ２へ引くと拡げ易い。こうして側方ｂ２側へシート１０を引き、図３Ｂ（ｄ）の上部に示す状態とする。これらの操作は、患者Ｋの頭部の重量を主として受けるだけであるので、軽く行うことができる。
【００３１】
引き紐２０は、長手方向中央を境にして２色に色分けされている。この例では図２に示すように裏面側（下側）から見て左側が赤色、右側が白色となっている。したがって図３Ａ（ｂ）に示すように、操作孔１１から押し出された引き紐２０を引張るときには、白色側（上側から見て左側）を引けばよく、これにより誤操作を防止することができる。この色分けは、使用者が区別できる色であれば種々設定することができる。
【００３２】
次に、図３Ｂ（ｄ）の下部に示すように、患者Ｋの足側で同様の操作をする。すなわち、足の下側で、折りたたんだシートの間から手先を操作孔１１に通して引き紐２０を側方ｂ２側へ押しやり、引き紐２０を側方ｂ２側へ引く。こうして付近のシート１０を拡げて、図３Ｂ（ｅ）の下部に示す状態とする。この操作は、患者Ｋの足部の重量を主として受けるだけであるので、軽く行うことができる。
【００３３】
次に図３Ｂ（ｅ）の中央部に示すように、患者Ｋの腰部付近で同様の操作をする。すなわち、腰部の下側で、折りたたんだシートの間から手先を操作孔１１に通し、引き紐２０を側方ｂ２側へ押しやり、引き紐２０を側方ｂ２側へ引き、付近のシート１０を拡げる。この操作に関しては、患者の下にくぐらせるべきシートの面積が減少しており、体重の多くが掛かる胴部の下を容易に通過させることができる。さらに、シート１０全体を整えれば、図３Ｂ（ｆ）に示す状態となる。こうして、患者移乗用具１全体を患者の下側に挿入して拡げることができる。
【００３４】
図４は、図３Ｂ（ｆ）の状態から搬送用ベッドＢａに患者Ｋを移動する状態の例を順を追って示している。
【００３５】
先ず、図４の（ａ）に示すように、上記状態にあるベッドＢの側方に搬送用ベッドＢａを配置し、両ベッドの高さを揃える。次に、（ｂ）に示すようにシート１０を引張って患者Ｋと共に搬送用ベッドＢａ側に移動する。この移動をシート１０全体に亘って行えば、患者Ｋを搬送用ベッドＢａ上に移動することができる。この操作も、シート１０の一部ずつについて順次行えば負荷が小さく容易に行うことができる。
【００３６】
図５Ａ，図５Ｂは、本発明の第二実施形態に係る患者移乗用具について示しており、患者の下側に敷く過程の一例を順を追って示している。この患者移乗用具１ａは、既に説明した患者移乗用具１に対して、操作孔１１を備えない点においてのみ異なっている。したがって、図３Ａ，３Ｂに示した過程とほぼ同様にして用いることができる。ここでは、相違する点を中心に説明する。
【００３７】
図５Ａ（ａ）に示すように、ベッドＢの一側方ｂ１において、表側の面（引き紐２０のない側の面）が上になるようにして上下２〜３層程度に縦長に折りたたんだ状態で、患者移乗用具１ａを置く。
【００３８】
次に、図５Ａ（ｂ）に示すように、折りたたんだシートの間に側方ｂ１から手を挿入し、シート１０の折りたたまれた縁部を患者の幅方向の半分程度まで下側に挿入する。これは、シート１０を介してその下側の引き紐２０を把持した状態で行い、引き紐２０をシート１０より側方ｂ２側へ押しやる。
【００３９】
そして、図５Ａ（ｃ）に示すように、引き紐２０を側方ｂ２側へ引くことにより、シート１０の一部を患者の他側方に拡げる。この操作は、患者Ｋの頭部の重量を主として受けるだけであるので、軽く行うことができる。この後は、シート縁部または取っ手３０を引いてその付近のシート１０を拡げ、図５Ｂ（ｄ）の上部に示す状態とする。
【００４０】
次に、図５Ｂ（ｄ）の下部に示すように、患者Ｋの足の下側で、引き紐２０を側方ｂ２側へ引いて、付近のシート１０を拡げる。これにより、図５Ｂ（ｅ）の下部に示す状態とする。この操作も、患者Ｋの足部の重量を主として受けるだけであるので、軽く行うことができる。
【００４１】
次に図５Ｂ（ｅ）の中央部に示すように、患者Ｋの腰部の下側で、引き紐２０を側方ｂ２側へ引き、付近のシート１０を拡げる。この操作に関しては、患者の下にくぐらせるべきシートの面積が減少しており、体重の多くが掛かる胴部の下を容易に通過させることができる。さらに、シート１０全体を整えれば、図５Ｂ（ｆ）に示す状態となる。こうして、患者移乗用具１ａ全体を患者の下側に挿入して拡げることができる。
【００４２】
図６Ａ、図６Ｂは、患者Ｋの下側に敷かれた患者移乗用具１を取り出す過程の一例を順を追って示している。図６Ａ（ａ）は、ベッドＢ上の患者Ｋの下側に患者移乗用具１が敷かれた状態を示している。この状態から、図６Ａ（ｂ）に示すように、患者Ｋの頭部に位置する引き紐２０をベッドの一側方ｂ１側へ取り出して引張る。こうして図６Ａ（ｃ）の上部に示すように、シート１０の一部を頭部下側から半分程度取り出して、図６Ａ（ｃ）の上部に示す状態とする。
【００４３】
次に、図６Ａ（ｃ）の下部に示すように、患者Ｋの足部に位置する引き紐２０をベッドの一側方ｂ１側へ取り出して、シート１０の一部と共に一側方ｂ１へ引く。さらに引き紐２０を引き、シート１０を足部下側から取り出して、図６Ｂ（ｄ）の下部に示す状態とする。
【００４４】
次に、図６Ｂ（ｄ）の中央部に示すように、患者Ｋの腰部に位置する引き紐２０をベッドの一側方ｂ１側へ取り出して、シート１０の一部と共に一側方ｂ１へ引く。
【００４５】
さらに引き紐２０を引き、図６Ｂ（ｅ）に示すように、シート１０の中央部を腰部下側から半分程度取り出した状態とする。
【００４６】
そして、シート１０を患者Ｋの下側から完全に抜き出せば、図６Ｂ（ｆ）に示す状態となる。
【００４７】
患者移乗用具取り出しのためのこれらの操作において、患者の幅方向の半分程度まで取り出す操作は、引き紐２０及びシート１０を引くだけで患者Ｋを持ち上げなくても行うことができる。また、シート１０の各部分に位置する引き紐について順次行えばよいので、各操作は小さい負荷の下で容易に行うことができる。そして、半分程度取り出した患者移乗用具をさらに取り出す際には、シート上に掛かる患者の体重は軽減されているので、容易に行うことができる。したがって、この患者移乗用具によれば、介助者への負担が小さく、一人の介助者でも容易に患者をベッド等に乗せ替えることができる。
【００４８】
この実施形態のように、シート１０の側縁は、取っ手３０をシート幅方向に越えた位置まで延ばすのが望ましい。こうすることにより、図６Ａ（ｂ），（ｃ），図６Ｂ（ｄ）に示すように、引き紐２０を引いてシート１０を取り出す際に、取っ手３０はシート１０の側端部とその上側のシート部分との間に挟まれるようになり、ベッド面などに対する滑り抵抗を低減することができる。
【００４９】
図７は、車椅子に適用した本発明のさらに他の実施形態に係る患者移乗用具を裏面側（引き紐のある側）から見た状態で示している。この患者移乗用具１ｂは、前述の図１、図２の実施形態に示したものに対して、シート１０ｂの長手方向の寸法が小さくされ、長い引き紐２５が設けられて、車椅子での使用に、より適したものとなっており、他の仕様は前述の実施形態と同じである。尤も、先の実施形態に係る患者移乗用具も車椅子への適用は可能である。
【００５０】
引き紐２５は、一端部をシート１０ｂに取り付けた状態で、他端部がシートの長手方向中央部においてシートの対向側の側縁部へ斜めに達するように長くされている。シート１０ｂは、一般的な患者の頭部から太もも部までを覆う程度の長さとされ、車椅子上の患者の膝より下方部分を露出させて、患者下側からの取り出しをより容易にしている。
【００５１】
患者移乗用具１ｂの一つの隅部には、長い引き紐２５の一端部が取り付けられている。この取付けは、シート１０ｂの隅部に設けられた支持部材１３、及び引き紐２５の端部に設けられた係合部材２６により、係脱自在となっている。これらの部材は、ばね性を有したフックとこれをばね変形によって係脱させる受け部とを備えたもの、雄ねじ部及び雌ねじ部を備えたもの等、種々の形態とすることができる。
【００５２】
この構造により、引き紐２５は、以下に説明するように、シート１０ｂに取り付けた状態とすれば、車椅子上の患者の下側に敷かれた患者移乗用具１ｂを取り出す際に、シート１０ｂを斜めに長手方向中央部側へ引くのに十分な長さとなる。また、ベッド間での移乗等のように車椅子に適用されない場合は、引き紐２５をシート１０ｂから取り外すことができ、患者移乗用具１ｂの移動の際に、長い引き紐２５が引っ掛かったり邪魔になったりするのを防止することができる。
【００５３】
或いは、引き紐２５の一端部をシート１０ｂの隅部に固着し、他端部及び中間部分をシート１０ｂに係脱自在としてもよい。これにより、車椅子上の患者の下側に敷かれた患者移乗用具１ｂを取り出す際に、引き紐２５の他端部及び中間部分をシート１０ｂへの係合を解けば、シート１０ｂを長手方向中央部側へ引くのに十分な長さとなり、車椅子に適用されない場合は、引き紐２５をシート１０ｂに係合して、患者移乗用具１ｂの移動の際に、引っ掛かったり邪魔になったりするのを防止することができる。
【００５４】
図８は、この患者移乗用具１ｂが、車椅子Ｗの着座面と患者Ｋとの間に敷かれた状態を示している。この例では、患者移乗用具１ｂは、車椅子Ｗの一側方ｗ１（図では患者Ｋの右脚膝部の側方）の前端部付近において、シート１０の係合部材２６及び引き紐２５一端部の支持部材１３が係合状体で位置し、引き紐２５は、患者Ｋの下側を経て、他端部が車椅子Ｗの他側方ｗ２（図では患者Ｋの左脚の側方）に位置している。
【００５５】
図９は、図８の状態にある車椅子Ｗ上の患者Ｋの下側から、患者移乗用具１ｂを取り出す過程の一部を示している。これには先ず、車椅子Ｗの側方ｗ２にある引き紐２５を車椅子Ｗの上後方へ引張る。これにより、引き紐２５の側方ｗ１の端部は、車椅子Ｗの座面の一側方ｗ１前端付近から他側方ｗ２の後端側へ斜め（座面の対角線に沿う方向）に引き寄せられ、これと共にシート１０ｂは患者Ｋの下側（図では患者Ｋの脚部及び臀部の下側）から引き出される。これで患者移乗用具１ｂは、患者の体重からほとんど解放されるので、シート１０ｂを患者Ｋの背部と車椅子Ｗの間から引き出し、患者移乗用具１ｂ全体を取り出すことができる。
【００５６】
この車椅子Ｗの場合においても、シート取り出しのための操作は、引き紐２５（及び必要に応じて引き紐２５、シート１０ｂ縁部）を引張るだけで、患者Ｋを持ち上げなくても行うことができ、操作の負荷が小さく、容易に取り出しを行うことができる。
【００５７】
以上、本発明の実施形態について説明したが、本発明はこれらに限定されるものではなく、その趣旨を逸脱しない限りにおいて種々の変更が可能である。例えば、シートに設ける取っ手は実施形態に示したもの以外の数及び位置で設けることができ、シート本体の把持等で操作を行う場合は取っ手を省略することもできる。また、引き紐及び操作孔の数及び位置も必要に応じて適宜決めることができる。患者をベッド間、ベッドから車椅子などへ移乗する際に、引き紐取っ手などを操作する順は、実施形態に示したもの以外のものとすることもできる。シートの下面には、ベッド面に対する不用意なずれを生じず且つ移動を容易にし得るように、低摩擦の布、フィルム等を縫着または接着し、或いはコーティング層を設けることができる。
【符号の説明】
【００５８】
１，１ａ，１ｂ  患者移乗用具
１０，１０ｂ  シート
１１  操作孔
１３  支持部材
２０  引き紐
２５  引き紐
２６  係合部材
３０  取っ手
Ｋ  患者
Ｂ  ベッド
Ｗ  車椅子
【図１】
0005808013.tif 000002
【図２】
0005808013.tif 000003
【図３Ａ】
0005808013.tif 000004
【図３Ｂ】
0005808013.tif 000005
【図４】
0005808013.tif 000006
【図５Ａ】
0005808013.tif 000007
【図５Ｂ】
0005808013.tif 000008
【図６Ａ】
0005808013.tif 000009
【図６Ｂ】
0005808013.tif 000010
【図７】
0005808013.tif 000011
【図８】
0005808013.tif 000012
【図９】
0005808013.tif 000013